(57)【要約】【課題】効果的な情報整理を可能とする情報整理プログラムを提供する。【解決手段】情報整理プログラムは、少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出する手順と、入力手段を介した指示に応じて、前記背景画像の表示位置に対する前記付箋画像の相対的な表示位置が変化するように、前記付箋画像及び前記背景画像を画面上に表示する手順と、をコンピュータに実行させるように構成される。【選択図】  図３
2019040455.tif 000002
【特許請求の範囲】
【請求項１】
少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出する手順と、
入力手段を介した指示に応じて、前記背景画像の表示位置に対する前記付箋画像の相対的な表示位置が変化するように、前記付箋画像及び前記背景画像を画面上に表示する手順と、
をコンピュータに実行させるための情報整理プログラム。
【請求項２】
前記筆記面を撮像した前記画像から、前記筆記面における各々の前記付箋の位置情報を取得する手順と、
前記位置情報の各々について、該位置情報に対応する前記画面上の位置座標を算出する手順と、
前記付箋画像を移動させる前記指示の内容から、前記付箋画像の移動先の位置座標を算出する手順と、
算出された前記位置座標に基づいて、前記画面上に、前記付箋画像を配置して表示させる手順と、
をコンピュータに実行させるための請求項１に記載の情報整理プログラム。
【請求項３】
前記付箋画像の前記位置座標が算出される度に、前記位置座標を記憶部に順次記憶する手順と、
前記記憶部に記憶された前記位置座標のうち、前記入力手段を介した指示により選択された前記位置座標に基づいて、前記画面上に、前記付箋画像を配置して表示させる手順と、
をコンピュータに実行させるための請求項２に記載の情報整理プログラム。
【請求項４】
前記入力手段を介した指示に応じて、前記画面上における前記背景画像の表示と非表示とを切替え可能に構成された
ことを特徴とする請求項１乃至３の何れか一項に記載の情報整理プログラム。
【請求項５】
前記筆記面外にある第２付箋を撮像した画像から、前記第２付箋の画像である第２付箋画像を抽出する手順と、
前記第２付箋画像を、前記少なくとも１つの付箋画像のうちの１つとして、前記画面上に配置して表示させる手順と、
をコンピュータに実行させるための請求項１乃至４の何れか一項に記載の情報整理プログラム。
【請求項６】
少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出するとともに、
入力手段を介した指示に応じて、前記背景画像の表示位置に対する前記付箋画像の相対的な表示位置が変化するように、前記付箋画像及び前記背景画像を画面上に表示する
ように構成されたコンピュータを備えることを特徴とする情報整理装置。
【請求項７】
少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出するステップと、
入力手段を介した指示に応じて、前記背景画像の表示位置に対する前記付箋画像の相対的な表示位置が変化するように、前記付箋画像及び前記背景画像を画面上に表示するステップと、
を備える情報整理方法。
【請求項８】
基板と、
該基板上に固定され、請求項７に記載の情報整理方法に使用される複数枚の前記付箋の束により構成される少なくとも１つの付箋ブロックと、を備える付箋アセンブリ。
【請求項９】
複数の前記付箋ブロックを備え、
各々の前記付箋ブロックは、前記束を構成する複数枚の前記付箋同士を結合する糊面部以外の領域である非結合部によって形成される縁部を有し、
複数の前記付箋ブロックは、各々の前記付箋ブロックの前記縁部と、該縁部に対して隣接した他の前記付箋ブロックとの間に隙間が形成されるように前記基板上に配置された
ことを特徴とする請求項８に記載の付箋アセンブリ。
【請求項１０】
前記付箋ブロックは
前記束を構成する複数枚の前記付箋を互いに結合する糊面部と、
前記糊面部に隣接して設けられた前記複数枚の前記付箋の非結合部と、
を含み、
前記糊面部及び前記非結合部の配列方向における前記付箋ブロックの全幅に対する前記糊面部の幅の比が、０．４以上０．９以下である
ことを特徴とする請求項８又は９に記載の付箋アセンブリ。
【請求項１１】
前記付箋ブロックを挟んで前記基板とは反対側から前記付箋ブロックを覆うことが可能な板状のカバーと、
前記基板と前記カバーを綴じるように、前記基板と前記カバーの一端部に設けられる第１綴じ部及び第２綴じ部と、をさらに備え、
前記第１綴じ部と前記第２綴じ部とは、前記一端部に沿った方向において５ｃｍ以上離間して設けられた
ことを特徴とする請求項８乃至１０の何れか一項に記載の付箋アセンブリ。
【発明の詳細な説明】
【技術分野】
【０００１】
本開示は、情報整理プログラム、情報整理装置、情報整理方法及び付箋アセンブリに関する。
【背景技術】
【０００２】
グループディスカッションや、ブレインストーミング等の場面において、アイデア湧出や意見集約のために、付箋が活用される場合がある。
例えば、複数のメンバーが各自のアイデアを付箋に書き出し、これらの付箋を、ホワイトボードや模造紙等に貼り付ける。そして、貼り付けられた付箋を適宜移動させながら、アイデアを展開したり、意見を整理したりする。
また、上述のように、ホワイトボードや模造紙等に張り出された付箋に書かれた情報を電子データに変換して、情報の記録や整理を行うことが提案されている。
【０００３】
例えば、特許文献１には、複数の付箋が貼り付けられたホワイトボードをカメラで撮像し、得られた画像データをコンピュータで処理して、この画像データから付箋上の記載内容を抽出して、付箋１枚ごとにソフトウェアメモ（電子データとしてのメモ）を生成することが開示されている。また、特許文献１には、このようにして生成したソフトウェアメモを操作及び管理することが開示されており、例えば、付箋の特徴（例えば色等）に基づいて複数のソフトウェアメモをグループ分けすることや、幾つかのソフトウェアメモが属するグループに対してソフトウェアメモを追加又は削除すること等が開示されている。
【先行技術文献】
【特許文献】
【０００４】
【特許文献１】米国特許第８８９１８６２号明細書
【発明の概要】
【発明が解決しようとする課題】
【０００５】
付箋に書かれた情報を電子データに変換して情報の記録や整理を行うことにより、グループディスカッション等の終了後や、時間が経過してからの再開後に、情報を整理又は再利用することができることができたり、あるいは、遠隔地にいるメンバーと情報共有することができる。
ところで、付箋が貼り付けられるホワイトボードや模造紙等の筆記面には、付箋以外の背景部分に、付箋に書かれた情報と密接な関係を有する情報が書き込まれることがある。そこで、付箋の記載内容及び背景部分の筆記内容の両方を電子データに変換して適切に操作することができれば、情報整理がしやすくなり、ユーザにとってより有益である。
【０００６】
上述の事情に鑑みて、本発明の少なくとも一実施形態は、効果的な情報整理を可能とする情報整理プログラム、情報整理装置、情報整理方法及び付箋アセンブリを提供することを目的とする。
【課題を解決するための手段】
【０００７】
（１）本発明の少なくとも一実施形態に係る情報整理プログラムは、
少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出する手順と、
入力手段を介した指示に応じて、前記背景画像の表示位置に対する前記付箋画像の相対的な表示位置が変化するように、前記付箋画像及び前記背景画像を画面上に表示する手順と、
をコンピュータに実行させる。
【０００８】
上記（１）の構成によれば、付箋が貼り付けられた筆記面（例えば、ホワイトボードや模造紙等）を撮像した画像から、付箋画像と、背景画像とを、それぞれ抽出し、入力手段を介した指示に応じて、背景画像の表示位置に対する付箋画像の相対的な表示位置が変化するように、付箋画像及び背景画像を画面上に表示する。すなわち、入力手段を介した指示に応じて、画面上における付箋画像の表示位置を、背景画像の表示位置に対して相対的に移動させることができる。よって、例えば、操作者が、背景画像との内容面における関係性を考慮しながら付箋画像の表示位置を移動させることができるので、コンピュータを用いた情報整理がしやすくなる。
【０００９】
（２）幾つかの実施形態では、上記（１）の構成において、
前記情報整理プログラムは、
前記筆記面を撮像した前記画像から、前記筆記面における各々の前記付箋の位置情報を取得する手順と、
前記位置情報の各々について、該位置情報に対応する前記画面上の位置座標を算出する手順と、
前記付箋画像を移動させる前記指示の内容から、前記付箋画像の移動先の位置座標を算出する手順と、
算出された前記位置座標に基づいて、前記画面上に、前記付箋画像を配置して表示させる手順と、
をコンピュータに実行させるように構成される。
【００１０】
上記（２）の構成によれば、筆記面を撮像した画像から、付箋及び背景の位置情報を取得し、位置情報に対応する画面上の位置座標を算出し、あるいは、付箋画像を移動させる指示の内容から付箋画像の移動先の位置座標を算出し、これらの位置座標に基づいて、付箋画像及び背景画像を画面上に表示させる。よって、筆記面における各付箋及び背景の相対的な位置関係を保持しながら、あるいは、付箋画像を移動させる指示内容に応じて、画面上に付箋画像及び背景画像を適切に表示することができる。
【００１１】
（３）幾つかの実施形態では、上記（２）の構成において、
前記情報整理プログラムは、
前記付箋画像の前記位置座標が算出される度に、前記位置座標を記憶部に順次記憶する手順と、
前記記憶部に記憶された前記位置座標のうち、前記入力手段を介した指示により選択された前記位置座標に基づいて、前記画面上に、前記付箋画像を配置して表示させる手順と、
をコンピュータに実行させるように構成される。
【００１２】
上記（３）の構成によれば、付箋画像の位置座標が算出される度に、すなわち、付箋画像を移動させる指示がある度に位置座標を記憶部に順次記憶するとともに、記憶部に記憶された位置座標のうち、入力手段を介した指示により選択された位置座標に基づいて、画面上に付箋画像を表示する。よって、使用者の指示に応じて、過去の任意の時点における付箋画像及び背景画像の画面表示を見ることができる。これにより、より柔軟に情報整理を行うことができる。
【００１３】
（４）幾つかの実施形態では、上記（１）乃至（３）の何れかの構成において、
前記情報整理プログラムは、
前記入力手段を介した指示に応じて、前記画面上における前記背景画像の表示と非表示とを切替え可能に構成される。
【００１４】
上記（４）の構成によれば、画面上における背景画像の表示と非表示を切り替えることができるので、必要に応じて画面上に背景画像を表示し又は非表示にすることにより、より柔軟な情報整理が可能となる。
【００１５】
（５）幾つかの実施形態では、上記（１）乃至（４）の何れかの構成において、
前記情報プログラムは、
前記筆記面外にある第２付箋を撮像した画像から、前記第２付箋の画像である第２付箋画像を抽出する手順と、
前記第２付箋画像を、前記少なくとも１つの付箋画像のうちの１つとして、前記画面上に配置して表示させる手順と、
をコンピュータに実行させるように構成される。
【００１６】
上記（５）の構成によれば、筆記面とは別に撮像した画像から抽出した第２付箋画像を、少なくとも１つの付箋画像のうちの１つとして画面上に表示する。すなわち、画面上において、筆記面に貼り付けられた付箋の画像である付箋画像を表示するのに加えて、別の付箋画像（第２付箋画像）をさらに表示することができるので、より柔軟な情報整理が可能となる。
【００１７】
（６）本発明の少なくとも一実施形態に係る情報整理装置は、
少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出するとともに、
入力手段を介した指示に応じて、前記背景画像の表示位置に対する前記付箋画像の相対的な表示位置が変化するように、前記付箋画像及び前記背景画像を画面上に表示する
ように構成されたコンピュータを備える。
【００１８】
上記（６）の構成によれば、付箋が貼り付けられた筆記面（例えば、ホワイトボードや模造紙等）を撮像した画像から、付箋画像と、背景画像とを、それぞれ抽出し、入力手段を介した指示に応じて、背景画像の表示位置に対する付箋画像の相対的な表示位置が変化するように、付箋画像及び背景画像を画面上に表示する。すなわち、入力手段を介した指示に応じて、画面上における付箋画像の表示位置を、背景画像の表示位置に対して相対的に移動させることができる。よって、例えば、操作者が、背景画像との内容面における関係性を考慮しながら付箋画像の表示位置を移動させることができるので、コンピュータを用いた情報整理がしやすくなる。
【００１９】
（７）本発明の少なくとも一実施形態に係る情報整理方法は、
少なくとも１枚の付箋が貼り付けられた筆記面を撮像した画像から、前記少なくとも１枚の付箋の各々の画像である少なくとも１つの付箋画像、及び、前記筆記面に筆記された背景を含む画像である背景画像をそれぞれ抽出するステップと、
入力手段を介した指示に応じて、前記背景画像の表示位置に対する前記付箋画像の相対的な表示位置が変化するように、前記付箋画像及び前記背景画像を画面上に表示するステップと、
を備える。
【００２０】
上記（７）の方法によれば、付箋が貼り付けられた筆記面（例えば、ホワイトボードや模造紙等）を撮像した画像から、付箋画像と、背景画像とを、それぞれ抽出し、入力手段を介した指示に応じて、背景画像の表示位置に対する付箋画像の相対的な表示位置が変化するように、付箋画像及び背景画像を画面上に表示する。すなわち、入力手段を介した指示に応じて、画面上における付箋画像の表示位置を、背景画像の表示位置に対して相対的に移動させることができる。よって、例えば、操作者が、背景画像との内容面における関係性を考慮しながら付箋画像の表示位置を移動させることができるので、情報整理がしやすくなる。
【００２１】
（８）本発明の少なくとも一実施形態に係る付箋アセンブリは、
基板と、
該基板上に固定され、上記（７）に記載の情報整理方法に使用される複数枚の前記付箋の束により構成される少なくとも１つの付箋ブロックと、を備える。
【００２２】
上記（８）の構成によれば、付箋が貼り付けられた筆記面（例えば、ホワイトボードや模造紙等）を撮像した画像から、付箋画像と、背景画像とを、それぞれ抽出し、入力手段を介した指示に応じて、背景画像の表示位置に対する付箋画像の相対的な表示位置が変化するように、付箋画像及び背景画像を画面上に表示する。すなわち、入力手段を介した指示に応じて、画面上における付箋画像の表示位置を、背景画像の表示位置に対して相対的に移動させることができる。よって、例えば、操作者が、背景画像との内容面における関係性を考慮しながら付箋画像の表示位置を移動させることができるので、コンピュータを用いた情報整理がしやすくなる。
【００２３】
（９）幾つかの実施形態では、上記（８）の構成において、
前記付箋アセンブリは、
複数の前記付箋ブロックを備え、
各々の前記付箋ブロックは、前記束を構成する複数枚の前記付箋同士を結合する糊面部以外の領域である非結合部によって形成される縁部を有し、
複数の前記付箋ブロックは、各々の前記付箋ブロックの前記縁部と、該縁部に対して隣接した他の前記付箋ブロックとの間に隙間が形成されるように前記基板上に配置される。
【００２４】
上記（９）の構成によれば、付箋ブロックの糊面部以外の領域である非結合部によって形成される縁部と、隣接する他の付箋ブロックとの間に隙間が形成されるので、隙間に指先や爪を入れることで、該付箋ブロックから付箋を容易にはがすことができる。
【００２５】
（１０）幾つかの実施形態では、上記（８）又は（９）の構成において、
前記付箋ブロックは、
前記束を構成する複数枚の前記付箋を互いに結合する糊面部と、
前記糊面部に隣接して設けられた前記複数枚の前記付箋の非結合部と、
を含み、
前記糊面部及び前記非結合部の配列方向における前記付箋ブロックの全幅に対する前記糊面部の幅の比が、０．４以上０．９以下である。
【００２６】
上記（１０）の構成によれば、付箋ブロックの全幅に対する糊面部の幅の比が０．４以上０．９以下であり、全幅に対する糊面部の幅の占める割合が比較的大きい。これにより、付箋ブロックの付箋を筆記面に貼り付けるときに、筆記面に対して付箋が接着する面積が大きくなるので、付箋の曲がり等を抑制して、付箋を筆記面に対して略平行に貼ることができる。よって、筆記面を撮像した画像からの、付箋画像の抽出の精度が良好となる。
【００２７】
（１１）幾つかの実施形態では、上記（８）乃至（１０）の何れか一項の構成において、
前記付箋アセンブリは、
前記付箋ブロックを挟んで前記基板とは反対側から前記付箋ブロックを覆うことが可能な板状のカバーと、
前記基板と前記カバーを綴じるように、前記基板と前記カバーの一端部に設けられる第１綴じ部及び第２綴じ部と、をさらに備え、
前記第１綴じ部と前記第２綴じ部とは、前記一端部に沿った方向において５ｃｍ以上離間して設けられる。
【００２８】
上記（１１）の構成によれば、基板とカバーを綴じる第１綴じ部及び第２綴じ部は、一端部に沿った方向において５ｃｍ以上離れて設けられるので、使用者が付箋アセンブリを使うとき、第１綴じ部と第２綴じ部との間の部分を手で持つことができる。これにより、使用者は、付箋アセンブリを手に持って安定的に支えながら、付箋に記入することができる。
【発明の効果】
【００２９】
本発明の少なくとも一実施形態によれば、効果的な情報整理を可能とする情報整理プログラム、情報整理装置、情報整理方法及び付箋アセンブリが提供される。
【図面の簡単な説明】
【００３０】
【図１】一実施形態に係る情報整理装置の構成を示すブロック図である。
【図２】付箋が貼り付けられた筆記面を撮像した画像（撮像画像）の一例を示す図である。
【図３】プロセッサによる情報整理の手順を示すフローチャートである。
【図４Ａ】プロセッサによる情報処理の各段階における様子を模式的に示す図である。
【図４Ｂ】プロセッサによる情報処理の各段階における様子を模式的に示す図である。
【図５Ａ】プロセッサによる情報処理の各段階における様子を模式的に示す図である。
【図５Ｂ】プロセッサによる情報処理の各段階における様子を模式的に示す図である。
【図６】プロセッサによる情報処理の各段階における様子を模式的に示す図である。
【図７】プロセッサによる情報処理の各段階における様子を模式的に示す図である。
【図８】プロセッサによる情報処理の各段階における様子を模式的に示す図である。
【図９】プロセッサによる情報処理の各段階における様子を模式的に示す図である。
【図１０】プロセッサによる情報処理の各段階における様子を模式的に示す図である。
【図１１】プロセッサによる情報処理の各段階における様子を模式的に示す図である。
【図１２】プロセッサによる情報処理の各段階における様子を模式的に示す図である。
【図１３】プロセッサによる情報処理の各段階における様子を模式的に示す図である。
【図１４】一実施形態に係る付箋アセンブリの平面図である。
【図１５】図１４に示す付箋アセンブリの側面図である。
【図１６】一実施形態に係る付箋ブロックの斜視図である。
【図１７】図１６に示す付箋ブロックの平面図である。
【図１８】一実施形態に係る付箋アセンブリの平面図である。
【発明を実施するための形態】
【００３１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００３２】
図１は、一実施形態に係る情報整理装置の構成を示すブロック図である。
図１に示すように、幾つかの実施形態では、情報整理装置１は、少なくとも１枚の付箋が貼り付けられた筆記面を撮像した画像を処理して、筆記面上の情報を整理するための各種手順を実行するコンピュータ２を備える。
【００３３】
幾つかの実施形態では、コンピュータ２は、プロセッサ４と、メモリ（記憶部）６と、カメラ８と、入力手段１０と、画面（ディスプレイ）１２と、を備える。
コンピュータ２は、スマートフォンやタブレット等の携帯端末であってもよい。また、入力手段１０は、画面１２と一体的に構成されるタッチパネルであってもよい。他の実施形態では、入力手段１０は、画面１２とは別に設けられたマウス又はキーボードであってもよい。
【００３４】
プロセッサ４は、メモリ６から情報整理プログラムを読み出して、図３を参照して後述する手順を実行するように構成される。すなわち、プロセッサ４は、情報整理プログラムに従って、カメラ８によって撮像した画像データをメモリ６から取得してこれを処理しディスプレイ１２に表示する。また、プロセッサ４は、カメラ８、画面１２及び入力手段１０を含む各種機器を制御する機能も有する。ディスプレイ１２及び入力手段１０は、グラフィカルユーザインターフェース（ＧＵＩ）を構成しており、情報整理装置１の利用者とコンピュータ２との間での情報のやり取りのために用いられる。
なお、図１に示した例示的な実施形態では、カメラ８がコンピュータ２に内蔵されているが、他の実施形態では、カメラはコンピュータ２の外部に設けられる。この場合、カメラで取得した画像データをＩ／Ｏインターフェース又はネットワーク回線を介してコンピュータ２のメモリに取り込んでもよい。
【００３５】
図２は、情報整理プログラムの処理対象である画像、すなわち、付箋が貼り付けられた筆記面を撮像した画像（撮像画像）の一例を示す図である。撮像画像５０は、複数の付箋２３ａ〜２３ｆが貼り付けられた筆記面４２（例えばホワイトボードや模造紙等）をカメラ８で撮像して得られる画像である。撮像画像５０において筆記面４２には、背景として、文字や図形を含む筆記内容４４が含まれている。筆記内容４４は、マーカ等の筆記具で筆記されたものであってもよいし、あるいは、筆記面４２上に印刷されたものであってもよい。
以下、付箋２３ａ〜２３ｆを、まとめて付箋２３と表記する場合がある。
【００３６】
続いて、図３〜図１３を用いて、情報整理プログラムに基づくプロセッサ４による情報整理の手順について、図２に示す撮像画像５０を処理対象とする場合を例として説明する。
図３は、プロセッサ４による情報整理の手順を示すフローチャートである。図４〜図１３は、それぞれ、プロセッサ４による情報処理の各段階における様子を模式的に示す図である。
【００３７】
図３に示すように、プロセッサ４は、少なくとも１枚の付箋２３が貼り付けられた筆記面４２を撮像した撮像画像５０（例えば図２に示す撮像画像５０）をメモリ６から読み出す（ステップＳ２）。撮像画像５０は、コンピュータ２のカメラ８によって撮像されたものであってもよい。
【００３８】
次に、撮像画像５０から、付箋２３（図２参照）の各々の画像である付箋画像５４ａ〜５４ｆ（図４Ａ参照）、及び、筆記面４２に筆記された筆記内容４４（図２参照）等の背景を含む画像である背景画像５２（図４Ｂ参照）を抽出する（ステップＳ４）。
以下、付箋画像５４ａ〜５４ｆを、まとめて付箋画像５４と表記する場合がある。
【００３９】
ステップＳ４では、例えば、撮像画像５０を２値化処理して、及び／又は、撮像画像５０のＲＧＢ値を取得して、その結果に基づいて（例えばコントラストに基づいて）、撮像画像５０における筆記面４２と各付箋２３の境界を各付箋画像５４のエッジとして認識することにより、撮像画像５０から各付箋画像５４を抽出する。
この際、抽出した付箋画像５４を、付箋の規定寸法又は縦横比等に基づいて矩形化する処理をってもよい。これにより、例えば抽出した付箋画像５４が歪んだ形状である等規定の形状でない場合であっても、付箋画像５４の形状を規定形状に整形することができる。
【００４０】
また、ステップＳ４では、例えば、上述の撮像画像５０から、付箋画像５４を除いた部分を背景画像５２として抽出する。すなわち、背景画像５２は、筆記面４２及び筆記面４２上の筆記内容４４を含んだ画像であってもよい。
【００４１】
なお、カメラで筆記面４２を撮像する際、筆記面４２外の領域に、筆記面４２以外のものが写りこんでいる場合がある。この場合、撮像した画像のうち、筆記面４２外の領域をトリミングして、筆記面４２の領域のみを、ステップＳ４における処理対象の撮像画像５０としてもよい。
【００４２】
次に、プロセッサ４は、撮像画像５０から、筆記面４２における各々の付箋２３の位置情報を取得し、取得した位置情報の各々について、該位置情報に対応する画面１２上の位置座標Ｐ０、すなわち、画面１２上において、各付箋２３についての付箋画像５４を表示する位置の座標Ｐ０を算出する。
【００４３】
付箋の位置情報は、付箋の特定部位の位置の情報であってもよく、例えば、付箋の中央の位置情報、又は、付箋の４つの角のうち特定の１つの角（例えば、向かって左上の角）の位置情報であってもよい。同様に、付箋画像５４の画面上における位置座標は、付箋画像の特定部位の位置座標であってもよく、例えば、付箋画像の中央の位置座標、又は、付箋画像の４つの角のうち特定の１つの角（例えば、向かって左上の角）の位置座標であってもよい。
【００４４】
付箋画像の位置座標Ｐ０は、例えば以下のようにして算出することができる。
例えば、図５Ａに示すように、撮像画像５０を、該撮像画像の中央の点（原点）Ｏ（０，０）を通り、互いに直交するＸ軸及びＹ軸を含むＸＹ平面として表現すれば、付箋２３の位置情報（ここでは、付箋２３の中央の位置座標とする。）は、ＸＹ平面における点Ｑ（Ｘ，Ｙ）と表現することができる。
一方、図５Ｂに示すように、画面１２は、該画面１２の中央の点Ｏ（原点）（０，０）を通り、互いに直交するｘ軸及びｙ軸を含むｘｙ平面として表現すれば、画面１２上における任意の位置は、Ｐ（ｘ，ｙ）と表現することができる。
そして、画面１２上における付箋画像５４の位置座標Ｐ０（ｘ０、ｙ０）（ここでは、付箋画像５４の中央の位置座標とする。）を、付箋の位置情報Ｑ（Ｘ，Ｙ）に基づいて算出する。この際、撮像画像のＸ方向の長さＬＸ及びｙ方向の長さＬＹ、及び、画面１２のｘ方向の長さＬｘ及びｙ方向の長さＬｙを考慮して、付箋画像の位置座標Ｐ０（ｘ０、ｙ０）を算出するようにしてもよい。
【００４５】
あるいは、撮像画像５０における付箋２３の位置情報、及び、画面１２上における付箋画像５４の位置座標は、原点Ｏ付箋２３（又は付箋画像５４）との距離ｒ、及び、原点Ｏと付箋２３（または付箋画像５４）をと結ぶ線分と、Ｘ軸（又はｘ軸）とがなす角度θによって、位置座標Ｐ（ｒ，θ）のように表現してもよい。そして、前述の距離ｒ及び角度θに基づいて、付箋画像の位置座標Ｐ０等を算出するようになっていてもよい。
【００４６】
なお、上述したステップＳ４（付箋画像５４及び背景画像５２を抽出するステップ）とステップＳ６（付箋画像５４の位置座標Ｐ０を算出するステップ）の実行順序は限定されない。すなわち、ステップＳ４とステップＳ６のどちらを先に実行してもよい。
【００４７】
次に、プロセッサ４は、付箋画像５４及び背景画像５２を画面１２上に表示する（ステップＳ６）。図６は、このようにして、画面１２上に表示された付箋画像５４及び背景画像５２が示されている。
この際、ステップＳ４で算出された位置座標に基づいて、画面１２上に付箋画像５４を配置して表示するようになっていてもよい。
なお、背景画像５２も、付箋画像５４と同様に、予め、画面１２上に表示する位置座標を算出しておき、算出した位置座標に基づいて、画面１２上に表示するようになっていてもよい。
【００４８】
ここで、ステップＳ６で算出した付箋画像５４の位置座標Ｐ０を、メモリ６に記憶するようにしてもよい（ステップＳ１０）。このように記憶した付箋画像５４の位置座標は、後述するように、該付箋画像５４の画面１２上での表示位置が現在の位置から変更された後であっても、メモリ６に記憶された位置座標を読み出すことにより、再度画面１２上において、付箋画像５４を変更前の位置に表示することができる。
【００４９】
上述した手順により、画面１２上に背景画像５２及び付箋画像５４が表示されたら、プロセッサ４は、入力手段１０を介した付箋画像５４の移動指示を待ち受け、移動指示があった場合には該移動指示を受け取る（ステップＳ１２）。
コンピュータ２がスマートフォンやタブレット等の携帯端末である場合、付箋画像５４の移動指示は、画面１２と一体的に構成されたタッチパネル（入力手段１０）をドラッグすることによって、ユーザがコンピュータ２に与えるようになっていてもよい。例えば、図７に示すように、ユーザが、画面１２上に付箋画像５４（図７に示す例では付箋画像５４ｄ）が表示されている位置を始点とし、画面１２上における付箋画像５４の移動先の位置（図７において破線で示す位置）を終点として、画面１２上において始点から終点までドラッグすることにより、付箋画像５４を現在の表示位置から移動先の位置に移動させる指示をコンピュータ２に与えるようになっていてもよい。
【００５０】
以下、図示する複数の付箋画像５４のうち、付箋画像５４ｄの表示位置を移動させる場合を例として、説明を続ける。
【００５１】
ステップＳ１２で付箋画像５４の移動指示を受け取ったら、プロセッサ４は、該移動指示に応じて、移動先の位置座標Ｐ１を算出する（ステップＳ１４）。
例えば、上述のように、ユーザがタッチパネル（入力手段１０）を介して、画面１２上において始点から終点までドラッグすることによって付箋画像５４を移動させる指示を与える例では、画面１２上におけるドラッグの終点の位置の座標を、移動先の位置座標Ｐ１（ｘ１，ｙ１）として算出する。
なお、付箋画像５４の移動先の位置座標Ｐ１は、付箋画像５４のうち、移動前の位置座標Ｐ０が示す部位と同じの部位を示すものである。ここでは、位置座標Ｐ０（ｘ０，ｙ０）及び位置座標Ｐ１（ｘ１，ｙ１）は、いずれも、付箋画像５４の中央の位置座標である。
【００５２】
次に、ステップＳ１２における入力手段１０を介した指示に応じて、背景画像５２の表示位置に対する付箋画像５４の相対的な表示位置が変化するように、付箋画像５４及び背景画像５２を画面１２上に表示する（ステップＳ１６）。
すなわち、画面１２上において、付箋画像５４の表示位置が、現在の表示位置Ｐ０（ｘ０，ｙ０）から、例えばステップＳ１４で算出した移動先の表示位置Ｐ１（ｘ１，ｙ１）に変化するように、付箋画像５４を画面上１２に表示する。この際、画面１２上において、付箋画像５４の表示位置は、背景画像５２の表示位置に対して、相対的に変化するようになっている。図８は、このようにして付箋画像５４（ここでは付箋画像５４ｄ）が移動先の表示位置（位置座標Ｐ１）に表示された状態を示している。
このように、画面１２上において、背景画像５２と付箋画像５４との相対的な位置関係を変更することができるため、例えば、ユーザが、背景画像５２との内容面における関係性を考慮しながら付箋画像５４の表示位置を移動させることにより、付箋を用いた情報整理をコンピュータ上において柔軟に行うことができる。
【００５３】
ここで、ステップＳ１４で算出した付箋画像５４の位置座標Ｐ１を、メモリ６に記憶するようにしてもよい（ステップＳ１８）。このように記憶した付箋画像５４の位置座標は、後述するように、該付箋画像５４の画面１２上での表示位置が現在の位置から変更された後であっても、メモリ６に記憶された位置座標を読み出すことにより、再度画面１２上において、付箋画像５４を変更前の位置に表示することができる。
【００５４】
上述したステップＳ１２〜Ｓ１８は、プロセッサ４が終了指示を受け取るまで、繰り返し行ってもよい（ステップＳ２０）。
すなわち、画面１２上における上述の位置座標Ｐ１（位置座標Ｐ０から移動した結果の表示位置Ｐ１）に付箋画像５４が画面１２上に表示された状態で、ユーザからの付箋画像５４の移動指示を受け取る（ステップＳ１２）。このとき、付箋画像５４の移動先の表示位置（位置座標）Ｐ２を算出する（ステップＳ１４）。そして、付箋画像５４の表示位置が位置座標Ｐ２に変化するように、付箋画像５４を表示させる（ステップＳ１６）。また、移動先の位置座標Ｐ２をメモリ６に記憶する（ステップＳ１８）。
このように手順を繰り返して、付箋画像５４の位置座標がＰ０からＰ１，Ｐ２、Ｐ３、…、Ｐｎと順次変化するように、付箋画像５４を画面１２上に表示させることができる（ステップＳ１２〜Ｓ１６）。また、これらの位置座標Ｐ０，Ｐ１、Ｐ２、…、Ｐｎが算出される度に、メモリ６に順次記憶するようになっていてもよい（ステップＳ１８）。
なお、複数の付箋画像５４が含まれる場合には、そのうちの何れかの付箋画像５４の位置座標Ｐが算出される度に、複数の付箋画像５４の各々の位置座標Ｐを、メモリ６に順次記憶するようになっていてもよい。
【００５５】
幾つかの実施形態では、画面１２に背景画像５２及び付箋画像５４が表示されている状態において、付箋２３（付箋画像５４の撮像元）が貼り付けられた筆記面４２外にある、付箋２３とは別の第２付箋１２３の画像を、画面１２上に追加して表示する。
【００５６】
図９及び図１０を参照して、その手順について説明する。
まず、プロセッサ４は、筆記面４２外にある第２付箋１２３を撮像した撮像画像５６（図９参照）から、第２付箋１２３の画像である第２付箋画像１５４（図１０参照）を抽出する。この際、例えば、撮像画像５６を２値化処理して、及び／又は、撮像画像５６のＲＧＢ値を取得して、その結果に基づいて（例えばコントラストに基づいて）、撮像画像５６における第２付箋１２３の領域と、それ以外の領域５７（図９参照）との境界を第２付箋画像１５４のエッジとして認識することにより、撮像画像５６から第２付箋画像１５４を抽出する。
この際、抽出した第２付箋画像１５４を、付箋の規定寸法又は縦横比等に基づいて矩形化する処理をってもよい。これにより、例えば抽出した第２付箋画像１５４が歪んだ形状である等規定の形状でない場合であっても、第２付箋画像１５４の形状を規定形状に整形することができる。
【００５７】
そして、プロセッサ４は、上述のようにして抽出された第２付箋画像１５４を、付箋画像５４ｇ（図１０参照）として、画面１２上に表示する。すなわち、幾つかの付箋画像５４及び背景画像５２が既に表示されている画面１２上に、追加分の付箋画像５４として第２付箋画像１５４を表示する。この際の付箋画像５４ｇ（第２付箋画像１５４）の表示位置は、画面上の任意の位置であってもよい。
また、上述したステップＳ１０の手順にしたがい、付箋画像５４ｇの画面１２上における表示位置を、メモリ６に記憶するようにしてもよい。このように記憶した付箋画像５４の位置座標は、後述するように、該付箋画像５４の画面１２上での表示位置が現在の位置から変更された後であっても、メモリ６に記憶された位置座標を読み出すことにより、再度画面１２上において、付箋画像５４を変更前の位置に表示することができる。
【００５８】
このように画面上１２に追加された付箋画像５４ｇも、他の付箋画像５４ａ〜５４ｆと同様、上述したステップＳ１０〜Ｓ１６における操作対象となる。すなわち、付箋画像５４ｇも、他の入力手段１０を介した移動指示に応じて、画面上における表示位置を変更することが可能である（ステップＳ１０〜Ｓ１４）。また、ステップＳ１０〜Ｓ１４に従って表示位置が変更された場合には、ステップＳ１６にしたがって、変更後の表示位置をメモリ６に記憶するようにしてもよい。
【００５９】
このように、すなわち、画面１２上において、筆記面４２に貼り付けられた付箋２３の画像である付箋画像５４を表示するのに加えて、別の付箋画像５４（筆記面４２とは別に撮像した撮像画像５６から抽出した第２付箋画像１５４）をさらに表示することにより、より柔軟な情報整理が可能となる。
【００６０】
幾つかの実施形態は、入力手段１０を介した指示に応じて、画面１２上における背景画像５２の表示と非表示とを切替え可能に構成されている。
例えば、入力手段１０としてのタッチパッドの特定部位をタップすることによって、画面１２上における背景画像５２の表示と非表示とを切替える指示をコンピュータ２に与えることができるようになっていてもよい。この場合、タッチパッドの上述の特定部位をユーザが視認できるように、該特定部位が画面１２上にボタン等として表示されるようになっていてもよい。
なお、図１１には、背景画像５２を非表示にした場合の画面１２が示されている。図１１において、背景画像５２に含まれる筆記内容４４（図１１において破線で表示）は画面１２上に表示されていない。
【００６１】
このように、画面上における背景画像の表示と非表示を切り替えることができれば、必要に応じて画面上に背景画像を表示し又は非表示にすることにより、より柔軟な情報整理が可能となる。
【００６２】
幾つかの実施形態では、プロセッサ４は、上述したステップＳ１０及びＳ１８により、各付箋画像５４の位置座標Ｐが算出される度に、各付箋画像５４の位置座標Ｐをメモリ６に順次記憶するようになっている。そして、メモリ６に記憶された位置座標Ｐのうち、入力手段１０を介した指示により選択された位置座標Ｐに基づいて、画面１２上に、各付箋画像５４を配置して表示させるようになっている。
【００６３】
入力手段１０を介した指示は、例えば、タッチパッド（入力手段１０）と一体的に構成された画面１２上に表示された表示画像選択部６０（図１２参照）を介してコンピュータ２に与えられてもよい。
表示画像選択部６０は、例えば、時系列を示すインジケータ６２と、インジケータ６２の特定の位置を指し示すポインタ６６を含む。インジケータ６２は始点６３と終点６４とを結ぶように伸びており、始点６３は初期の時点を示し、終点６４は最新の時点を示す。
ユーザは、タッチパッド上で、ポインタ６６をインジケータ６２に沿ってドラッグすることにより移動させて、時系列における任意の時点を選択することができるようになっている。プロセッサ４は、各付箋画像５４について、表示画像選択部６０を介して選択された時点に対応する位置座標Ｐをメモリ６から読み出して、読み出した位置座標Ｐに基づいて、各付箋画像５４を画面１２上に表示する。
【００６４】
例えば、一例では、上述したステップＳ１０及びＳ１８により、付箋画像５４の各々について、位置座標Ｐ０〜Ｐ４の５つの位置座標が、この順にメモリ６に記憶されている。ここで、位置座標Ｐ０〜Ｐ４は、時点Ｔ０〜Ｔ４の５つの時点におけるそれぞれの位置座標Ｐである。
この場合、例えば、図１３に示すように、インジケータ６２を、時点Ｔ０〜Ｔ４に対応する５つの領域Ｔ０〜Ｔ４に等分して、ポインタ６６が位置する領域に対応する時点の位置座標Ｐに基づいて、各付箋画像５４を画面１２上に表示するようになっていてもよい。
例えば、図１３において、ポインタ６６がインジケータ６２の領域Ｔ０を指し示しているときには、プロセッサ４は、各付箋画像５４について、時点Ｔ０に対応する各々の位置座標Ｐ０を読み出して、各付箋画像５４を、画面１２上においてメモリから読み出した位置座標Ｐ０の位置に表示する。同様に、ポインタ６６がインジケータ６２の領域Ｔｎを指し示しているときには、プロセッサ４は、各付箋画像５４について、時点Ｔｎに対応する各々の位置座標Ｐｎを読み出して、各付箋画像５４を、画面１２上においてメモリから読み出した位置座標Ｐｎの位置に表示する。
【００６５】
この場合、入力手段１０を介したユーザの指示に応じて、過去の任意の時点における付箋画像５４及び背景画像５２の画面表示を見ることができる。これにより、より柔軟に情報整理を行うことができる。
【００６６】
上述したプログラムなどに用いられる付箋は、以下に説明する付箋アセンブリを構成する付箋であってもよい。
図１４は、一実施形態に係る付箋アセンブリの平面図であり、図１５は、図１４に示す付箋アセンブリの側面図である。
【００６７】
図１４及び図１５に示すように、付箋アセンブリ２０は、基板２２と、基板２２上に固定された少なくとも１つの付箋ブロック２４と、を備えている。
また、付箋アセンブリ２０は、付箋ブロック２４を挟んで基板２２とは反対側から付箋ブロック２４を覆うことが可能な板状のカバー２６と、基板２２とカバー２６を綴じるための第１綴じ部２８Ａ及び第２綴じ部２８Ｂと、さらに備えている。
なお、図１４及び図１５には、カバー２６が開かれた状態の付箋アセンブリ２０が示されている。すなわち、図１４では、カバー２６は、基板２２の陰に隠れて見えない状態である。また、図１５には、カバー２６が閉じられた状態、すなわち、カバー２６が、付箋ブロック２４を挟んで基板２２とは反対側から付箋ブロック２４を覆った状態が、二点鎖線で示されている。
【００６８】
図１４及び図１５に示す例示的な実施形態では、第１綴じ部２８Ａ及び第２綴じ部２８Ｂは、基板２２とカバー２６の一端部に設けられている。また、第１綴じ部２８Ａ及び第２綴じ部２８Ｂは、それぞれ、基板２２の一端部に沿って設けられた複数の穴３０Ａ，３０Ｂと、カバー２６の一端部に沿って設けられた複数の穴２７Ａ，２７Ｂと、穴３０Ａ，３０Ｂ及び穴２７Ａ，２７Ｂをそれぞれ貫通するように設けられたリング３２Ａ，３２Ｂと、を含む。
【００６９】
幾つかの実施形態では、第１綴じ部２８Ａと第２綴じ部２８Ｂとは、基板２２及びカバー２６の一端部に沿った方向において５ｃｍ以上離間して設けられる。すなわち、上記一端部に沿った方向において、第１綴じ部２８Ａと第２綴じ部２８Ｂとの間の距離Ｄ１（図１４参照）は、５ｃｍ以上である。
この場合、ユーザが付箋アセンブリ２０を使うとき、基板２２及び／又はカバー２６の一端部において第１綴じ部２８Ａと第２綴じ部２８Ｂとの間の部分を手で持つことができる。これにより、ユーザは、付箋アセンブリ２０を手に持って安定的に支えながら、付箋ブロック２４の付箋に記入することができる。
【００７０】
図１６は、一実施形態に係る付箋ブロックの斜視図であり、図１７は、図１６に示す付箋ブロックの平面図である。
図１６に示すように、付箋ブロック２４は、複数枚の付箋２３の束により構成されている。また、図１６及び図１７に示すように、付箋ブロック２４は、束を構成する複数枚の付箋２３を互いに結合する糊面部３８と、糊面部３８に隣接して設けられた数枚の付箋２３が結合されていない非結合部４０と、を含む。糊面部３８では、各付箋２３の一面に糊が施されており、糊によって、重なり合う付箋２３同士が結合されている。
また、付箋ブロック２４は、束を構成する複数米の付箋２３の一辺３５に沿って設けられ、糊面部３８を含む一端部３４と、一端部３４と反対側に位置する他端部３６と、を有する。すなわち、他端部３６は、付箋２３同士が結合されていない非結合部４０を含む。
【００７１】
付箋ブロック２４は、他端部３６において、非結合部４０によって形成される縁部３９を有する。縁部３９は、付箋ブロック２４から１枚の付箋２３を剥がすときに、ユーザが指で摘む部分である。
【００７２】
幾つかの実施形態では、図１４及び図１５に示すように、付箋アセンブリ２０は複数の上記付箋ブロック２４を含んでいる。そして、複数の付箋ブロック２４は、各々の付箋ブロック２４の他端部３６と、該付箋ブロック２４に対して、一端部３４が設けられる一辺３５に直交する方向（図１４及び図１５参照）に隣接した他の付箋ブロック２４との間に隙間Ｄ２が形成されるように、基板２２上に配置されている。
言い換えると、複数の付箋ブロック２４は、各々の付箋ブロック２４の縁部３９と、該縁部３９に対して隣接した他の付箋ブロック２４との間に隙間Ｄ２が形成されるように、基板２２上に配置されている。
【００７３】
このように、付箋ブロック２４の他端部３６（付箋２３同士が結合されていない非結合部４０を含む他端部３６）と、隣接する他の付箋ブロックとの間に隙間Ｄ２が形成されていることにより、隙間Ｄ２に指先や爪を入れることで、該付箋ブロック２４から付箋２３を容易に剥がすことができる。
あるいは、付箋ブロック２４の非結合部４０によって形成される縁部３９と、隣接する他の付箋ブロック２４との間に隙間Ｄ２が形成されていることにより、隙間Ｄ２に指先や爪を入れることで、該付箋ブロック２４から付箋２３を容易に剥がすことができる。
【００７４】
幾つかの実施形態では、糊面部３８及び非結合部４０の配列方向（図１７参照）における付箋ブロック２４の全幅Ｗ１に対する糊面部３８の幅Ｗ２の比が、０．４以上０．９以下である。
【００７５】
付箋ブロック２４の全幅Ｗ１に対する糊面部３８の幅Ｗ２の比が０．４以上０．９以下であれば、全幅Ｗ１に対する糊面部の幅Ｗ２の占める割合が比較的大きい。これにより、付箋ブロック２４の付箋２３を筆記面４２（図２参照）に貼り付けるときに、筆記面４２に対して付箋２３が接着する面積が大きくなるので、付箋２３の曲がり等を抑制して、付箋２３を筆記面４２に対して略平行に貼ることができる。よって、筆記面４２を撮像した撮像画像５０からの、付箋画像５４の抽出の精度が良好となる。
【００７６】
図１８は、他の一実施形態に係る付箋アセンブリの平面図である。図１８に示す付箋アセンブリ２０は、基本的には図１４に示す実施形態に係る付箋アセンブリ２０と同じ構成を有するが、付箋ブロック２４及び該付箋ブロック２４を構成する付箋２３の形状において、図１４に示す実施形態に係る付箋アセンブリ２０とは異なる。
【００７７】
図１８に示す例示的な実施形態では、付箋ブロック２４の各々は、束を構成する複数枚の付箋２３を互いに結合する糊面部３８と、糊面部３８に隣接して設けられた数枚の付箋２３が結合されていない非結合部４０と、を含む。糊面部３８では、各付箋２３の一面に糊が施されており、糊によって、重なり合う付箋２３同士が結合されている。
【００７８】
図１８に示すように、糊面部３８は付箋ブロック２４の両側部に設けられており、糊面部３８以外の領域、すなわち、両側部の糊面部３８に挟まれた領域は非結合部４０である。このように、糊面部３８が付箋ブロック２４の両側部に設けられることで、付箋ブロック２４の付箋２３を筆記面４２（図２参照）に貼り付けるときに、付箋２３の両側部において該付箋２３を筆記面４２に対して接着させることができる。よって、付箋２３の筆記面４２に対する曲がり等を抑制して、付箋２３を筆記面４２に対して略平行に貼ることができる。すなわち、付箋２３の曲がりによる筆記面４２からの剥離を防止することができ、筆記面４２を撮像した撮像画像５０からの、付箋画像５４の抽出の精度が良好となる。
【００７９】
図１８に示すように、付箋ブロック２４は、非結合部４０によって形成される縁部３９を有する。縁部３９は、付箋ブロック２４から１枚の付箋２３を剥がすときに、ユーザが指で摘む部分である。
図１８に示す例示的な実施形態において、縁部３９は弧状の形状を有している。縁部３９が弧状の形状を有しているので、付箋ブロック２４の両側部に糊面部３８が設けられている場合であっても、ユーザが付箋２３を付箋ブロック２４から剥がしやすい。
【００８０】
図１８に示す付箋アセンブリ２０は、複数の付箋ブロック２４を含んでいる。そして、複数の付箋ブロック２４は、各々の付箋ブロック２４の縁部３９と、該縁部３９に対して隣接した他の付箋ブロック２４との間に隙間Ｄ２が形成されるように、基板２２上に配置されている。
【００８１】
このように、付箋ブロック２４の非結合部４０によって形成される縁部３９と、隣接する他の付箋ブロック２４との間に隙間Ｄ２が形成されていることにより、隙間Ｄ２に指先や爪を入れることで、該付箋ブロック２４から付箋２３を容易に剥がすことができる。
【００８２】
以上、本発明の実施形態について説明したが、本発明は上述した実施形態に限定されることはなく、上述した実施形態に変形を加えた形態や、これらの形態を適宜組み合わせた形態も含む。
【００８３】
本明細書において、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
また、本明細書において、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
また、本明細書において、一の構成要素を「備える」、「含む」、又は、「有する」という表現は、他の構成要素の存在を除外する排他的な表現ではない。
【符号の説明】
【００８４】
１      情報整理装置
２      コンピュータ
４      プロセッサ
６      メモリ
８      カメラ
１０    入力手段
１２    画面
２０    付箋アセンブリ
２２    基板
２３, ２３ａ〜２３ｆ  付箋
２４    付箋ブロック
２６    カバー
２７Ａ，２７Ｂ  穴
２８Ａ  第１綴じ部
２８Ｂ  第２綴じ部
３０Ａ，３０Ｂ  穴
３２Ａ，３２Ｂ  リング
３４    一端部
３５    一辺
３６    他端部
３８    糊面部
３９    縁部
４０    非結合部
４２    筆記面
４４    筆記内容
５０    撮像画像
５２    背景画像
５４，５４ａ〜５４ｇ  付箋画像
５６    撮像画像
５７    領域
６０    表示画像選択部
６２    インジケータ
６３    始点
６４    終点
６６    ポインタ
１２３  第２付箋
１５４  第２付箋画像
【図１】
2019040455.tif 000003
【図２】
2019040455.tif 000004
【図３】
2019040455.tif 000005
【図４Ａ】
2019040455.tif 000006
【図４Ｂ】
2019040455.tif 000007
【図５Ａ】
2019040455.tif 000008
【図５Ｂ】
2019040455.tif 000009
【図６】
2019040455.tif 000010
【図７】
2019040455.tif 000011
【図８】
2019040455.tif 000012
【図９】
2019040455.tif 000013
【図１０】
2019040455.tif 000014
【図１１】
2019040455.tif 000015
【図１２】
2019040455.tif 000016
【図１３】
2019040455.tif 000017
【図１４】
2019040455.tif 000018
【図１５】
2019040455.tif 000019
【図１６】
2019040455.tif 000020
【図１７】
2019040455.tif 000021
【図１８】
2019040455.tif 000022